(57)【要約】【課題】番組（コンテンツ）の録画において、様々な要因で欠落が生じ、録画コンテンツが完全ではないことがある。この完全ではない録画コンテンツを修復することが課題となっていた。【解決手段】実施形態に係る録画装置は、複数のチューナで受信された複数のチャンネルの番組コンテンツを連続的に録画する第１の録画手段と、録画指示された番組コンテンツを前記第１の録画手段とは独立して録画する第２の録画手段を備えている。また、第２の録画手段に録画された番組コンテンツの録画不完全を検出し、通知する。そして、録画不完全が通知された場合に、録画コンテンツの修復指示を入力可能に表示する。また、録画コンテンツの修復指示に応じ、録画不完全が検出されたコンテンツに対応するコンテンツを、第１の録画手段から抽出し、不完全が検出されたタイミングで再生する。【選択図】  図２
2011234137.tif 000002
【特許請求の範囲】
【請求項１】
複数のチューナで受信された複数のチャンネルの番組コンテンツを連続的に録画する第１の録画手段と、
録画指示された番組コンテンツを前記第１の録画手段とは独立して録画する第２の録画手段と、
前記第２の録画手段に録画された番組コンテンツの録画不完全を検出し、通知する不完全検出手段と、
前記録画不完全が通知された場合に、前記録画コンテンツの修復指示を入力可能に表示し、録画コンテンツの修復指示を受けた場合は、前記録画不完全が検出されたコンテンツに対応する録画コンテンツを、前記第１の録画手段から抽出し、前記不完全が検出されたタイミングに基づいて再生する再生手段を備えることを特徴とする録画装置。
【請求項２】
前記録画番組コンテンツの修復指示はユーザによって入力されることを特徴とする請求項１に記載の録画装置。
【請求項３】
前記第１の録画手段から抽出された録画コンテンツを、前記不完全が検出された録画コンテンツに置換することを特徴とする請求項１または２に記載の録画装置。
【請求項４】
前記不完全コンテンツの通知は、コンテンツの再生に連動して表示されることを特徴とする請求項１乃至３に記載の録画装置。
【請求項５】
前記不完全が検出されたタイミングは、番組録画コンテンツの再生時間に基づいて検出されることを特徴とする請求項１乃至４に記載の録画装置。
【請求項６】
複数のチューナで受信された複数のチャンネルの番組コンテンツを連続的に録画するステップと、
録画指示された番組コンテンツを前記第１の録画手段とは独立して録画するステップと、
前記第２の録画手段に録画された番組コンテンツの録画不完全を検出し、通知するステップと、
前記録画不完全が通知された場合に、前記録画コンテンツの修復指示を入力可能に表示し、録画コンテンツの修復指示を受けた場合は、前記録画不完全が検出されたコンテンツに対応する録画コンテンツを、前記第１の録画手段から抽出し、前記不完全が検出されたタイミングに基づいて再生するステップを備えることを特徴とする録画方法。
【請求項７】
前記録画番組コンテンツの修復指示はユーザによって入力されることを特徴とする請求項６に記載の録画方法。
【請求項８】
前記第１の録画手段から抽出された録画コンテンツを、前記不完全が検出された録画コンテンツに置換することを特徴とする請求項６または７に記載の録画方法。
【請求項９】
前記不完全コンテンツの通知は、コンテンツの再生に連動して表示されることを特徴とする請求項６乃至８に記載の録画方法。
【請求項１０】
複数のチューナで受信された複数のチャンネルの番組コンテンツを連続的に録画する第１の録画手段と、
録画指示された番組コンテンツを前記第１の録画手段とは独立して録画する第２の録画手段と、
少なくとも前記第１の録画手段または前記第２の録画手段に録画された番組コンテンツを表示するための表示手段と、
前記第２の録画手段に録画された番組コンテンツの録画不完全を検出し、通知する不完全検出手段と、
前記録画不完全が通知された場合に、前記録画コンテンツの修復指示を前記表示手段に入力可能に表示し、録画コンテンツの修復指示を受けた場合は、前記録画不完全が検出されたコンテンツに対応する録画コンテンツを、前記第１の録画手段から抽出し、前記不完全が検出されたタイミングに基づいて再生する再生手段を備えることを特徴とする映像表示装置。
【発明の詳細な説明】
【技術分野】
【０００１】
本発明の実施形態は、放送番組を受信し、録画する録画装置に関する。
【背景技術】
【０００２】
現在、放送局等から送信される放送番組を受信し、蓄積ストレージ等の記録装置に録画することが行われている。
しかし、接続不良や番組延長等、様々な要因により欠落が生じ、番組（コンテンツ）の録画が完全でないことがある。
【先行技術文献】
【特許文献】
【０００３】
【特許文献１】特開2006-50441
【発明の概要】
【発明が解決しようとする課題】
【０００４】
番組（コンテンツ）の録画において、様々な要因で欠落が生じ、録画コンテンツが完全ではないことがある。この完全ではない録画コンテンツを修復することが課題となっていた。
【課題を解決するための手段】
【０００５】
実施形態に係る録画装置は、複数のチューナで受信された複数のチャンネルの番組コンテンツを連続的に録画する第１の録画手段と、録画指示された番組コンテンツを前記第１の録画手段とは独立して録画する第２の録画手段を備えている。
【０００６】
また、第２の録画手段に録画された番組コンテンツの録画不完全を検出し、通知する。
そして、録画不完全が通知された場合に、録画コンテンツの修復指示を入力可能に表示する。
また、録画コンテンツの修復指示に応じ、録画不完全が検出されたコンテンツに対応するコンテンツを、第１の録画手段から抽出し、不完全が検出されたタイミングで再生する。
【図面の簡単な説明】
【０００７】
【図１】実施形態に係わる録画装置を示すブロック図。
【図２】実施形態に係わる映像表示装置において表示される、録画コンテンツの修復指示を入力可能に表示する一例を示す外観図。
【図３】実施形態に係わる録画装置の動作を説明するフローチャート。
【発明を実施するための形態】
【０００８】
以下、図面を参照し、この発明の実施形態を説明する。
図１は、実施形態に係わる録画装置を示すブロック図である。
符号１は映像表示装置（デジタル放送受信装置）、符号２はアンテナ、符号３はチューナ、符号４は信号処理部、符号５は映像処理部、符号６は音声処理部、符号７は表示装置、符号８は画面、符号９はスピーカである。
【０００９】
符号１０はバス、符号１１は制御部、符号１２はＭＰＵ、符号１３はＲＡＭ、符号１４はＲＯＭ、符号１５はフラッシュメモリ、符号１６ａは記憶部、符号１６ｂは設定値保持部である。
【００１０】
符号１７は内部記録装置である。例えば、内蔵ＨＤＤ（ハードディスク装置）や内蔵ＳＳＤ（Solid State Disk：  半導体記憶素子であるフラッシュメモリを使用した記憶装置）等で構成される。
【００１１】
符号１８は外部インターフェース、符号１９は外部インターフェース１８を介して外部に接続される外部記憶装置である。この外部記憶装置１８も上記ＨＤＤやＳＳＤ等で構成される。
【００１２】
符号２０は操作受信部、符号２１は操作機器、符号２１は送受信部、符号２２は送受信部、符号２３は消費電力比較部、符号２４はＧＵＩ制御部、符号２５は放送局、符号２６はネットワーク、符号２７はサーバである。
【００１３】
この映像表示装置１は、内部記録装置１７および外部記憶装置１８それぞれに、録画を行うことが可能である。
特に図示しないが、チューナ３は複数のチューナで構成され、複数のチャンネルを受信可能に構成される。
また、内部記録装置１７は、タイムシフト用と通常録画用のHDDを備え、タイムシフト用HDDには、例えば、過去約26時間分の番組を最大8チャンネル分一時保管、すなわち、26時間8チャンネルを“丸録り“することが可能である。
【００１４】
図２は、実施形態に係わる映像表示装置において表示される、録画コンテンツの修復指示を入力可能に表示する一例を示す、映像表示装置の外観図である。この映像表示装置は、上記のように、録画装置を含んでいる。
【００１５】
この実施形態においては、複数のチューナで受信された複数のチャンネルの番組コンテンツを内部記録装置１７に、連続的に録画する。
また、例えば録画予約等で録画指示された番組コンテンツを内部記録装置１７とは独立して録画する外部録画装置１９を備えている。ここでの録画指示は、特に録画予約に限られない。
【００１６】
ここでは、外部録画装置１９に録画された番組コンテンツの録画不完全を検出し、通知する。
この録画不完全の通知は、映像表示装置１の表示画面８に表示される。
ここでは、この番組は正常に録画が完了しませんでした。続きは過去番組表から開始します。＊＊  録画失敗した番組  ＊＊  ×月○日    AM 10:00  PM 0:00と表示される。
【００１７】
また、録画番組修復？と表示される。
そして、録画不完全が通知された場合に、録画コンテンツの修復指示を入力可能に表示する。ここでは、修復入力ボタン３０が表示され、ユーザが図示しないリモートコントローラやキーボード等を操作し、修復入力ボタン３０を押すことで、録画コンテンツの修復指示が入力される。
【００１８】
また、録画コンテンツの修復指示に応じ、録画不完全が検出されたコンテンツに対応するコンテンツが、内部記録装置１７から抽出される。そして、不完全が検出されたタイミングで抽出されたコンテンツを再生する。
【００１９】
この実施形態においては、例えば、録画コンテンツの欠落部分までは外部の録画機器１９からコンテンツを再生し、欠落部分からは“丸録り”された録画コンテンツから対応するコンテンツを抽出し、再生する。
【００２０】
上記のように、対象録画機器を変更する時は、その旨を数秒間画面に表示させ、ユーザに録画が失敗した事を通知する。
また、上記録画コンテンツの修復指示表示を数秒間表示させ、その間に上記ボタンが押下されると、番組の切り替わりと同時に元コンテンツの削除→丸録コンテンツのダビングを開始し、欠落した番組コンテンツを再構成することも可能である。
【００２１】
図３は、実施形態に係わる録画装置の動作を説明するフローチャートである。
符号S１０は、ここでの開始ステップである。続いて符合Ｓ１１を付したステップへ進む。
符合Ｓ１１は、内部録画機器（記録装置１７）へ番組コンテンツを”丸録り”するステップである。続いて符合Ｓ１２を付したステップへ進む。
符合Ｓ１２は、外部録画機器（外部記憶装置１９）へ録画指示（予約）／録画実行するステップである。続いて符合Ｓ１３を付したステップへ進む。
符合Ｓ１３は、外部録画機器（外部記憶装置１９）に録画された録画コンテンツを再生するステップである。続いて符合Ｓ１４を付したステップへ進む。
符合Ｓ１４は、録画コンテンツに不完全（コンテンツの欠落）はあるかを判断するステップである。この判断は、例えば、制御部１１で行われる。録画コンテンツに不完全があると判断される場合は、符合Ｓ１５を付したステップへ進む（Ｙｅｓ）。録画コンテンツに不完全があると判断されない場合は、符合Ｓ１３を付したステップへ進み上記処理が繰り返される（Ｎｏ）。
【００２２】
符合Ｓ１５は、コンテンツの録画失敗を通知し、録画コンテンツの修復ボタン30を表示するステップである。例えば、この時の録画コンテンツの開始からの再生時間を不完全のタイミングとして記憶する。続いて符合Ｓ１６を付したステップへ進む。
【００２３】
符合Ｓ１６は、録画コンテンツ修復ボタン３０はユーザに操作され、入力されたかを判断するステップである。録画コンテンツ修復ボタン３０が操作され、修復が入力されたと判断される場合は、符合Ｓ１７を付したステップへ進む（Ｙｅｓ）。修復が入力されたと判断されない場合は、符合Ｓ２０を付したステップへ進む（Ｎｏ）。
【００２４】
符合Ｓ１７は、”丸録り”されたコンテンツの中から、修復指示されたコンテンツに対応するコンテンツを検索／抽出するステップである。続いて符合Ｓ１８を付したステップへ進む。
【００２５】
符合Ｓ１８は、抽出されたコンテンツを不完全のタイミングから再生するステップである。続いて符合Ｓ１９を付したステップへ進む。
符合Ｓ１９は、抽出されたコンテンツを録画失敗したコンテンツと置換し修復するステップである。続いて符合Ｓ２０を付したステップへ進む。
符合Ｓ２０は終了ステップであり、ここでの処理は終了する。
上記のように構成することによって、この実施形態においては、ユーザは欠落した番組の続きを意識することなく、欠落のない録画コンテンツを視聴することが可能となる。
【００２６】
また、欠落のない録画コンテンツを視聴している間に、バッググラウンドでは修復処理が走っている。このため、欠落のない録画コンテンツを視聴しながら、コンテンツが自動的に修復されるということが可能である。
【００２７】
したがって、様々な要因で欠落が生じた録画コンテンツを、修復することが可能になるという効果がある。
なお、上記実施形態は、記述そのものに限定されるものではなく、実施段階では、その趣旨を逸脱しない範囲で、構成要素を種々変形して具体化することが可能である。
【符号の説明】
【００２８】
１…映像表示装置（デジタル放送受信装置）、２…アンテナ、３…チューナ、４…信号処理部、５…映像処理部、６…音声処理部、７…表示装置、８…画面、９…スピーカ、１０…バス、１１…制御部、１２…ＭＰＵ、１３…ＲＡＭ、１４…ＲＯＭ、１５…フラッシュメモリ、１６ａ…記憶部、１６ｂ…設定値保持部、１７…内部記録装置、１８…外部インターフェース、１９…外部記憶装置、２０…操作受信部、２１…操作機器、２１…送受信部、２２…送受信部、２３…消費電力比較部、２４…ＧＵＩ制御部、２５…放送局、２６…ネットワーク、２７…サーバ、３０…修復入力ボタン。
【図１】
2011234137.tif 000003
【図２】
2011234137.tif 000004
【図３】
2011234137.tif 000005
【手続補正書】
【提出日】平成23年7月28日(2011.7.28)
【手続補正１】
【補正対象書類名】特許請求の範囲
【補正対象項目名】全文
【補正方法】変更
【補正の内容】
【特許請求の範囲】
【請求項１】
複数のチューナで受信された複数のチャンネルの番組コンテンツを連続的に録画する第１の録画手段と、
録画指示された番組コンテンツを前記第１の録画手段とは独立して録画する第２の録画手段と、
前記第２の録画手段に録画された番組コンテンツの録画が不完全なタイミングを検出する不完全検出手段と、
前記録画が不完全な録画コンテンツを再生中に、前記録画が不完全なタイミングが検出された場合、前記録画が不完全な番組コンテンツに対応する前記第１の録画手段の録画コンテンツを前記不完全なタイミングから再生する再生手段と
を備えることを特徴とする録画装置。
【請求項２】
前記再生手段は、
前記録画が不完全な録画コンテンツが検出された場合に、前記録画コンテンツの修復指示を入力可能に表示し、録画コンテンツの修復指示を受けた場合に、前記録画が不完全な録画コンテンツに対応する前記第１の録画手段の録画コンテンツを前記不完全なタイミングから再生することを特徴とする請求項１に記載の録画装置。
【請求項３】
前記録画番組コンテンツの修復指示はユーザによって入力されることを特徴とする請求項２に記載の録画装置。
【請求項４】
前記第１の録画手段から抽出された録画コンテンツを、前記録画が不完全な録画コンテンツに置換することを特徴とする請求項１乃至３いずれか１項に記載の録画装置。
【請求項５】
前記録画が不完全なコンテンツがあることを、コンテンツの再生に連動して表示することを特徴とする請求項１乃至４ずれか１項に記載の録画装置。
【請求項６】
複数のチューナ、第１の録画手段、第２の録画手段を有する録画装置における録画方法において、
前記複数のチューナで受信された複数のチャンネルの番組コンテンツを前記第１の録画手段が連続的に録画するステップと、
録画指示された番組コンテンツを前記第１の録画手段とは独立して前記第２の録画手段が録画するステップと、
前記第２の録画手段に録画された番組コンテンツの録画が不完全なタイミングを検出するステップと、
前記録画が不完全な録画コンテンツを再生中に、前記録画が不完全なタイミングが検出された場合、前記録画が不完全な番組コンテンツに対応する前記第１の録画手段の録画コンテンツを前記不完全なタイミングから再生するステップと
を備えることを特徴とする録画方法。
【請求項７】
前記録画番組コンテンツの修復指示はユーザによって入力されることを特徴とする請求項６に記載の録画方法。
【請求項８】
前記第１の録画手段から抽出された録画コンテンツを、前記録画が不完全な録画コンテンツに置換することを特徴とする請求項６または７に記載の録画方法。
【請求項９】
前記録画が不完全な録画コンテンツがあることを、コンテンツの再生に連動して表示することを特徴とする請求項６乃至８いずれか１項に記載の録画方法。
【請求項１０】
複数のチューナで受信された複数のチャンネルの番組コンテンツを連続的に録画する第１の録画手段と、
録画指示された番組コンテンツを前記第１の録画手段とは独立して録画する第２の録画手段と、
少なくとも前記第１の録画手段または前記第２の録画手段に録画された番組コンテンツを表示するための表示手段と、
前記第２の録画手段に録画された番組コンテンツの録画が不完全なタイミングを検出する不完全検出手段と、
前記録画が不完全な録画コンテンツを再生中に、前記録画が不完全なタイミングが検出された場合、前記録画が不完全な番組コンテンツに対応する前記第１の録画手段の録画コンテンツを前記不完全なタイミングから再生する再生手段と
を備えることを特徴とする映像表示装置。
【手続補正２】
【補正対象書類名】明細書
【補正対象項目名】０００６
【補正方法】変更
【補正の内容】
【０００６】
また、第２の録画手段に録画された録画が不完全な録画コンテンツを再生中に、録画が不完全なタイミングを検出すると、録画コンテンツの修復指示を入力可能に表示する。そして、録画コンテンツの修復指示を受けた場合に、録画が不完全な録画コンテンツに対応する録画コンテンツを、第１の録画手段から抽出し、不完全なタイミングから再生する。